(57)【要約】【課題】複数冊分の情報を同時に参照することができ、かつ、冊子間を跨った記入作業や持ち運びが容易な連結式冊子を提供する。【解決手段】本発明の連結式冊子１０は、複数枚のシートを積載し、一端側でそれぞれ綴じられた第１の冊子１２及び第２の冊子１４と、第１の冊子１２及び第２の冊子１４が他端側で当接した状態で、少なくとも第１の冊子１２及び第２の冊子１４の一方の裏表紙１２ｃ（１４ｃ）と他方の表表紙１４ａ（１２ａ）とを一体的に連結するとともに、第１の冊子１２及び第２の冊子１４の境界線Ｘに沿って折り畳み自在な表紙部材１６と、を備える。【選択図】図１
2018094761.tif 000002
【特許請求の範囲】
【請求項１】
印刷された複数枚の用紙を積載し、一端側でそれぞれ綴じられた第１の冊子及び第２の冊子と、
前記第１の冊子及び前記第２の冊子が他端側で当接した状態で、少なくとも前記第１の冊子及び前記第２の冊子の一方の裏表紙と他方の表表紙とを一体的に連結するとともに、前記第１の冊子及び前記第２の冊子の境界線に沿って折り畳み自在な表紙部材と、
を備えることを特徴とする連結式冊子。
【請求項２】
請求項１記載の連結式冊子であって、
前記表紙部材は、前記第１の冊子の表表紙、背表紙及び裏表紙、並びに前記第２の冊子の表表紙、背表紙及び裏表紙を一体的に被覆する
ことを特徴とする連結式冊子。
【請求項３】
請求項１又は２記載の連結式冊子であって、
前記第１の冊子及び前記第２の冊子の一方の裏表紙の面上に設けられた扁平な磁石と、
前記第１の冊子及び前記第２の冊子の他方の表表紙の面上に、前記境界線を対称軸として前記磁石と線対称になる位置に設けられ、前記磁石に吸着される扁平な被吸着部材と、
を備え、
前記磁石及び前記被吸着部材は、前記表紙部材により被覆される
ことを特徴とする連結式冊子。
【請求項４】
請求項１又は２記載の連結式冊子であって、
前記第１の冊子及び前記第２の冊子の一方の裏表紙を被覆する前記表紙部材の第１領域に設けられた扁平な磁石と、
前記第１の冊子及び前記第２の冊子の他方の表表紙を被覆する前記表紙部材の第２領域に、前記境界線を対称軸として前記磁石と線対称になる位置に設けられ、前記磁石に吸着される扁平な被吸着部材と、
を備えることを特徴とする連結式冊子。
【請求項５】
請求項３又は４記載の連結式冊子であって、
前記磁石及び前記被吸着部材は、板状に形成されている
ことを特徴とする連結式冊子。
【請求項６】
請求項１〜５のいずれか１項に記載の連結式冊子であって、
前記第１の冊子及び前記第２の冊子の一方の前見返しと他方の後見返しとを合わせた４ページの領域には、一連の画像が４分割されて印刷される
ことを特徴とする連結式冊子。
【請求項７】
請求項１〜５のいずれか１項に記載の連結式冊子であって、
前記第１の冊子及び前記第２の冊子の一方の前見返しと他方の後見返しとを合わせた４ページの領域には、ページ間及び冊子間で連続するテキスト情報、画像又はこれらの組合せが印刷されている
ことを特徴とする連結式冊子。
【請求項８】
請求項１〜７のいずれか１項に記載の連結式冊子であって、
前記連結式冊子は、
前記第１の冊子及び前記第２の冊子の一方に設けられ、月単位のスケジュールが記入される月間スケジュールページと、
前記第１の冊子及び前記第２の冊子の他方に設けられ、週単位のスケジュールが記入される週間スケジュールページと、
を備える手帳である
ことを特徴とする連結式冊子。
【請求項９】
請求項１〜８のいずれか１項に記載の連結式冊子であって、
前記第１の冊子及び前記第２の冊子は、それぞれ縦幅、横幅及び厚みが等しい冊子である
ことを特徴とする連結式冊子。
【請求項１０】
請求項１〜８のいずれか１項に記載の連結式冊子であって、
前記第１の冊子及び前記第２の冊子は、それぞれ縦幅及び横幅が等しく、厚みが異なる冊子である
ことを特徴とする連結式冊子。
【発明の詳細な説明】
【技術分野】
【０００１】
本発明は、複数の冊子を連結してなる連結式冊子に関する。
【背景技術】
【０００２】
近年、タブレットやスマートフォン等の情報端末及びインターネットの普及に伴って、電子化された冊子（書籍を含む）の利用も進んでいるが、年齢を問わず、ページを開くだけで誰でも簡単に参照できること、筆記具を用いて自由かつ簡単に記入できること、安価であること等の利点から、紙媒体の冊子は依然として広く利用されている。また、特許文献１のように、冊子の見開き性を高めるために、冊子の製本方法についても様々な方法が提案されている。
【先行技術文献】
【特許文献】
【０００３】
【特許文献１】特開２０１６―１０１６７８号公報
【発明の概要】
【発明が解決しようとする課題】
【０００４】
文具店や書店等では、豊富なバリエーションの冊子式の手帳が店頭に多数陳列されており、人々は各自の嗜好、用途や目的に応じて選んだ商品を購入している。このような冊子式の手帳を使用する際には、月間スケジュールページを参照しながら、別ページで一週間あるいは一日のスケジュールを記入することがある。この場合、例えば、ユーザは月間スケジュールページと週間スケジュールページの２つのページを捲りながら記入作業を行うことになる。このため、ユーザ側にとってはスケジュールの記入に手間がかかってしまう。
【０００５】
また、外国語の学習教材には、外国語の原文とその翻訳文を分冊化したものも多い。この場合、ユーザは、外国語の原文とその翻訳文の冊子を並べた状態で同時に参照できる利点がある。しかし、原文と翻訳文とが別々の冊子に分かれていると、１冊だけの場合に比べて持ち運びがしづらい、一方の冊子を紛失あるいは別の場所に置き忘れてしまうと本来の使用ができない、等の問題があった。逆に、原文と翻訳文とが同じ冊子の左右のページに記載されている教材も多いが、同時に参照できる範囲は見開き２ページ分に限られてしまう。
【０００６】
そこで、本発明は、複数冊分の情報を同時に参照することができ、かつ、冊子間を跨った記入作業や持ち運びが容易な連結式冊子を提供することを目的とする。
【課題を解決するための手段】
【０００７】
本発明の連結式冊子は、印刷された複数枚の用紙を積載し、一端側でそれぞれ綴じられた第１の冊子及び第２の冊子と、第１の冊子及び第２の冊子が他端側で当接した状態で、少なくとも第１の冊子及び第２の冊子の一方の裏表紙と他方の表表紙とを一体的に連結するとともに、第１の冊子及び第２の冊子の境界線に沿って折り畳み自在な表紙部材と、を備える。
【０００８】
本発明によれば、第１の冊子及び第２の冊子が一枚の表紙部材によって連結されるため、両冊子を見開いた状態にした場合には最大で４ページ分の内容を同時に把握することができ、冊子間に跨った記入作業も効率的に行うことができる。また、第１の冊子と第２の冊子との境界線に沿って折り畳むことができるため、一冊分として使用・管理ができ、持ち運びも容易である。
【０００９】
本発明の連結式冊子において、表紙部材は、第１の冊子の表表紙、背表紙及び裏表紙、並びに第２の冊子の表表紙、背表紙及び裏表紙を一体的に被覆してもよい。これにより、第１の冊子と第２の冊子をそれぞれ見開き可能にしつつ、全ての表紙を一枚の表紙部材によって製本することができる。
【００１０】
本発明の連結式冊子は、第１の冊子及び第２の冊子の一方の裏表紙の面上に設けられた扁平な磁石と、第１の冊子及び第２の冊子の他方の表表紙の面上に、境界線を対称軸として磁石と線対称になる位置に設けられ、磁石に吸着される扁平な被吸着部材と、を備え、磁石及び被吸着部材は、表紙部材により被覆されてもよい。これにより、第１の冊子と第２の冊子との境界線に沿って折り畳んだときは、磁石が被吸着部材に吸着して冊子間が固定されるため、外力が加わったときに第１の冊子及び第２の冊子が離間しにくくなり、持ち運びが更に容易になる。また、磁石及び被吸着部材は、表紙部材によって被覆されるため、外観上目立たなくすることができる。
【００１１】
本発明の連結式冊子は、第１の冊子及び第２の冊子の一方の裏表紙を被覆する表紙部材の第１領域に設けられた扁平な磁石と、第１の冊子及び第２の冊子の他方の表表紙を被覆する表紙部材の第２領域に、境界線を対称軸として磁石と線対称になる位置に設けられ、磁石に吸着される扁平な被吸着部材と、を備えてもよい。これにより、第１の冊子と第２の冊子との境界線に沿って折り畳んだときは磁石と被吸着部材とが磁力によって固定されるため、第１の冊子及び第２の冊子が離間しにくくなり、持ち運びが容易になる。また、磁石と被吸着部材が、表紙部材の面上に接着されるため、表紙部材によって第１の冊子及び第２の冊子を連結した後でも貼り付けることができる。
【００１２】
本発明の連結式冊子において、磁石及び被吸着部材は、板状に形成されていると好適である。これにより、ユーザが記入する際には、磁石及び被吸着部材の位置で円滑な記入が妨げられず、連結式冊子の折り畳み時には嵩張らないで済む。
【００１３】
本発明の連結式冊子において、第１の冊子及び第２の冊子の一方の前見返しと他方の後見返しとを合わせた４ページの領域には、一連の画像が４分割されて印刷されていてもよい。これにより、一方の冊子の見開き２ページ分では掲載しきれなかった大きな画像であっても、２冊分の見返し領域を活用することで掲載することができる。
【００１４】
本発明の連結式冊子において、第１の冊子及び第２の冊子の一方の前見返しと他方の後見返しとを合わせた４ページの領域には、ページ間及び冊子間で連続するテキスト情報、画像又はこれらの組合せが印刷されてもよい。これにより、一方の冊子の見開き２ページ分では掲載しきれなかった情報であっても、２冊分の見返し領域を活用することで掲載することができる。
【００１５】
本発明の連結式冊子は、第１の冊子及び第２の冊子の一方に設けられ、月単位のスケジュールが記入される月間スケジュールページと、第１の冊子及び第２の冊子の他方に設けられ、週単位のスケジュールが記入される週間スケジュールページと、を備える手帳でもよい。これにより、月単位と週単位のスケジュールページを並べた状態で同時に把握できるため、月全体の予定を確認しながら、週単位の詳細なスケジュールを効率良く記入できる。
【００１６】
本発明の連結式冊子において、第１の冊子及び第２の冊子は、それぞれ縦幅、横幅及び厚みが等しい冊子としてもよい。これにより、表紙部材によって第１の冊子及び第２の冊子を被覆する製本工程が容易になる。
【００１７】
本発明の連結式冊子において、第１の冊子及び第２の冊子は、それぞれ縦幅及び横幅が等しく、厚みが異なる冊子としてもよい。これにより、厚みが大きく異なる２冊の冊子からも連結式冊子を作成することができる。
【発明の効果】
【００１８】
本発明によれば、複数冊分の情報を同時に参照することができ、かつ、冊子間を跨った記入作業や持ち運びが容易な連結式冊子を提供することができる。
【図面の簡単な説明】
【００１９】
【図１】本実施形態に係る連結式冊子の外観斜視図である。
【図２】図１に示す連結式冊子の第１の冊子及び第２の冊子を見開き状態で表紙部材側から見たときの上面図である。
【図３】図２に示す連結式冊子を本文ページ側から見た上面図である。
【図４】図３に示す連結式冊子のＩＶ―ＩＶ線における断面図である。
【図５】図３に示す連結式冊子の外観斜視図である。
【図６】図５に示す連結式冊子で第１の冊子及び第２の冊子を閉じた状態を示す外観斜視図である。
【図７】図６に示す連結式冊子を折り畳んだ状態を示す外観斜視図である。
【図８】図１に示す連結式冊子で第１の冊子の前見返し及び第２の冊子の後見返しをそれぞれ見開き状態にしたときの具体例を示す図である。
【図９】図１に示す連結式冊子で第１の冊子の後見返し及び第２の冊子の前見返しをそれぞれ見開き状態にしたときの具体例を示す図である。
【図１０】図１に示す連結式冊子で第１の冊子の本文ページ及び第２の冊子の本文ページをそれぞれ見開き状態にしたときの具体例を示す図である。
【発明を実施するための形態】
【００２０】
本発明に係る連結式冊子について、好適な実施形態を掲げ、添付の図面を参照しながら以下、詳細に説明する。
【００２１】
図１は、本実施形態に係る連結式冊子１０の外観斜視図である。図１に示すように、連結式冊子１０は、２冊の冊子（以下、第１の冊子１２、第２の冊子１４という。）を一枚の表紙部材１６によって連結することで構成される。第１の冊子１２及び第２の冊子１４は、複数枚の用紙（紙材以外のシート状の印刷媒体も含む）が積載され、一端側でそれぞれ綴じられた冊子である。各冊子の綴じ方としては、無線綴じ、糸綴じ及び平綴じ等各種の方法を任意に選択できる。なお、本実施形態では、第１の冊子１２及び第２の冊子１４は、縦幅、横幅及び高さが全て等しい冊子とし、各冊子に印刷されている情報は異なっているものとする。また、第１の冊子１２及び第２の冊子１４は、左開き（左綴じ）の冊子として説明するが、冊子のサイズや綴じ方向は限定されない。
【００２２】
表紙部材１６は、第１の冊子１２の表表紙１２ａ、背表紙１２ｂ及び裏表紙１２ｃ、第２の冊子１４の表表紙１４ａ、背表紙１４ｂ及び裏表紙１４ｃを一体的に連結するとともに、第１の冊子１２と第２の冊子１４との境界線Ｘに沿って折り畳み自在な被覆部材である。表紙部材１６の材質としては、各種の紙材（コート紙、アート紙、色上質紙等）、合皮、天然皮、布等、折り曲げ可能な材質の中から任意に選択できる。表紙部材１６は、第１の冊子１２及び第２の冊子１４の全ての表紙（表表紙１２ａ、背表紙１２ｂ、裏表紙１２ｃ、表表紙１４ａ、背表紙１４ｂ、裏表紙１４ｃ）を折り曲げて構成され、第１〜第６の表紙部１６ａ〜１６ｆの６つの領域に区画される。
【００２３】
図２は、図１に示す連結式冊子１０の第１の冊子１２及び第２の冊子１４を見開き状態で表紙部材１６側から見たときの上面図であり、図３は、図２に示す連結式冊子１０を本文ページ側から見たときの上面図である。図２に示すように、第１の冊子１２及び第２の冊子１４の各ページのサイズは、縦幅Ｈ、横幅Ｗ１であり、第１の冊子１２及び第２の冊子１４の両方を見開き状態にしたときには、４ページ分の大きさ（縦幅Ｈ、横幅Ｗ１×４＝Ｗ２×２）まで展開されることが示されている。
【００２４】
すなわち、例えば、第１の冊子１２及び第２の冊子１４がＢ６サイズ（縦幅×横幅：１８２ｍｍ×１２８ｍｍ）の場合には、最大でＢ５サイズ（縦幅×横幅：２５７ｍｍ×１８２ｍｍ）の用紙を横向きに２枚並べた大きさ（縦幅×横幅：１８２ｍｍ×５１４ｍｍ）まで展開される。
【００２５】
同様に、第１の冊子１２及び第２の冊子１４がＡ５サイズ（縦幅×横幅：２１０ｍｍ×１４８ｍｍ）の場合には、更に広く、最大でＡ４サイズ（縦幅×横幅：２９７ｍｍ×２１０ｍｍ）の用紙を横向きに２枚並べた大きさ（縦幅×横幅：２１０ｍｍ×５９４ｍｍ）まで展開される。
【００２６】
また、図２において破線で示すように、表紙部材１６の第３の表紙部１６ｃの内側、すなわち、第１の冊子１２の裏表紙１２ｃの面上には、扁平な磁石１８が設けられている。同様に、表紙部材１６の第４の表紙部１６ｄの内側、すなわち、第２の冊子１４の表表紙１４ａの面上には、境界線Ｘを対称軸として磁石１８と線対称になる位置に、磁石１８の磁力に反応する金属（例えば、鉄、コバルト、ニッケル）を含む磁性体からなる扁平な被吸着部材２０が設けられている。本実施形態では、ユーザが連結式冊子１０への記入がし易くなるように、磁石１８及び被吸着部材２０は、薄い（例えば、１ｍｍ以下）板状に形成されるものとする。また、十分な吸着力（固定力）が得られるように、磁石１８及び被吸着部材２０は、接触面積が広くなるような位置・大きさで形成されている。
【００２７】
また、図３に示すように、第１の冊子１２及び第２の冊子１４の両方を見開き状態にしたときには、境界線Ｘの位置で第１の冊子１２の前小口１２ｈと第２の冊子１４の前小口１４ｈとが殆ど隙間なく接することが示されている。このため、ユーザ側からは４ページ分が連続した領域に見える。
【００２８】
図４は、図３に示す連結式冊子１０のＩＶ―ＩＶ線における断面図である。図４に示すように、境界線Ｘの両側の領域に形成された接着剤層２２ａは、第１の冊子１２の裏表紙１２ｃと表紙部材１６の第３の表紙部１６ｃとを接着するとともに、第２の冊子１４の表表紙１４ａと表紙部材１６の第４の表紙部１６ｄとを接着する。
【００２９】
また、左右両端の前小口１２ｈ、１４ｈの近傍領域に塗布された接着剤層２２ｂは、第１の冊子１２の表表紙１２ａと表紙部材１６の第１の表紙部１６ａとを接着するとともに、第２の冊子１４の裏表紙１４ｃと表紙部材１６の第６の表紙部１６ｆとを接着する。
【００３０】
そして、第１の冊子１２の背表紙１２ｂの面上及びその周辺領域にそれぞれ形成された接着剤層２２ｃは、第１〜第３の表紙部１６ａ〜１６ｃと第１の冊子１２の表表紙１２ａ、背表紙１２ｂ及び裏表紙１２ｃとをそれぞれ接着する。同様に、第２の冊子１４の背表紙１４ｂの面上及びその周辺領域にそれぞれ形成された接着剤層２２ｃは、第４〜第６の表紙部１６ｄ〜１６ｆと第２の冊子１４の表表紙１４ａ、背表紙１４ｂ及び裏表紙１４ｃとをそれぞれ接着する。接着剤層２２ａ〜２２ｃは、例えば、酢酸ビニル樹脂、アクリル樹脂等の接着剤を塗布した後に乾燥させることで形成されるが、接着剤の種類や配合等は接着対象の表紙部材１６及び各冊子の種類、材質等に応じて任意に選択される。
【００３１】
続いて、上記の連結式冊子１０の製本方法の一例を説明する。先ず、第１の冊子１２の裏表紙１２ｃの面上の所定部分に接着剤を塗布して磁石１８を接着する。同様に、第２の冊子１４の表表紙１４ａの面上には、連結後に第１の冊子１２との境界線Ｘを対称軸として磁石１８と線対称になる位置に、被吸着部材２０を接着する。磁石１８及び被吸着部材２０の接着位置は、冊子間の離間を防止するため、図４に示すように、背表紙１２ｂ、１４ｂの近傍であることが好ましい。
【００３２】
次に、平らな作業テーブル（図示省略する）上に一枚の表紙部材１６を載せた後、表紙部材１６の中心線において第１の冊子１２の前小口１２ｈと第２の冊子１４の前小口１４ｈとが突き合わせ状態（当接した状態）となるように、表紙部材１６の上に第１の冊子１２の裏表紙１２ｃ側と第２の冊子１４の表表紙１４ａを左右に並べ、所定の接着剤によって接着する。接着剤は表紙部材１６又は両冊子のどちら側に塗布してもよい。なお、製本の最終工程において、表紙部材１６の余分な部分は断裁されるため、製本開始時における表紙部材１６の大きさは、表紙部材１６により被覆される第１の冊子１２の表表紙１２ａ、背表紙１２ｂ及び裏表紙１２ｃ、並びに第２の冊子１４の表表紙１４ａ、背表紙１４ｂ及び裏表紙１４ｃのそれぞれの大きさを加えたものよりも大きいものとする。
【００３３】
次に、第１の冊子１２の背表紙１２ｂ及び表表紙１２ａ、第２の冊子１４の背表紙１４ｂ及び裏表紙１４ｃにそれぞれ接着剤を塗布した後に、各表紙の紙面に沿って表紙部材１６を巻き付けるとともに、第１の冊子１２及び第２の冊子１４をそれぞれ厚さ方向に加圧する。加圧状態は、塗布した接着剤が乾燥して固化するまで保持する。
【００３４】
次に、表紙部材１６の端部は、第１の冊子１２及び第２の冊子１４のそれぞれの天地部分と、前小口１２ｈ、１４ｈからはみ出ている状態となっているため、表紙部材１６の当該の部分を断裁して縁部分を第１の冊子１２及び第２の冊子１４と揃える。
【００３５】
そして、第１の冊子１２の背表紙１２ｂと第２の冊子１４の背表紙１４ｂとを合わせるように、第１の冊子１２及び第２の冊子１４の境界線Ｘに沿って、第１の冊子１２、第２の冊子１４及び表紙部材１６を一体的に動かして折り畳み、磁石１８を被吸着部材２０に吸着させることで２冊子間を固定し、製本処理を完了する。
【００３６】
以下、上記のように構成された連結式冊子１０の動作・作用を図５〜図７に基づいて説明する。
【００３７】
ユーザが連結式冊子１０を使用する際は、第１の冊子１２及び第２の冊子１４の両方又は一方のページを開くことで、所望のページを参照するとともに、ボールペンや蛍光マーカー等を用いて自由に記入作業を行う。図５は、図３に示す連結式冊子１０の外観斜視図であり、第１の冊子１２及び第２の冊子１４の両方が見開き状態となっている。また、第１の冊子１２の本文ページ１２ｉ、１２ｊ、第２の冊子１４の本文ページ１４ｉ、１４ｊの４ページが横方向に連続して並び、前小口１２ｈ、１４ｈも当接しており、境界線Ｘにおいて殆ど隙間は生じていないことが示されている。
【００３８】
図６は、図５に示す連結式冊子１０の第１の冊子１２及び第２の冊子１４を閉じた状態を示す外観斜視図である。ここでは、第１の冊子１２及び第２の冊子１４を閉じると、第１の冊子１２の前小口１２ｈと第２の冊子１４の前小口１４ｈとを突き合わせた状態になることが示されている。また、表紙部材１６は、第１の冊子１２の表表紙１２ａを覆っている第１の表紙部１６ａと、第２の冊子１４の裏表紙１４ｃを覆っている第６の表紙部１６ｆとの間に殆ど隙間が生じないように断裁されている。
【００３９】
図７は、図６に示す連結式冊子１０を折り畳んだ状態を示す外観斜視図である。ユーザは、連結式冊子１０の使用を終えると、表紙部材１６の第２の表紙部１６ｂと第５の表紙部１６ｅ、すなわち、第１の冊子１２の背表紙１２ｂと第２の冊子１４の背表紙１４ｂとを左右方向で合わせるように、境界線Ｘに沿って連結式冊子１０を折り畳む。このとき、第１の冊子１２の裏表紙１２ｃを覆っている第３の表紙部１６ｃと第２の冊子１４の表表紙１４ａを覆っている第４の表紙部１６ｄとが全面で接触し、第１の冊子１２側の磁石１８が対向配置されている第２の冊子１４側の被吸着部材２０に吸着することで、第１の冊子１２と第２の冊子１４は固定状態となる。
【００４０】
上記のように構成された連結式冊子１０は、第１の冊子１２及び第２の冊子１４の各々に印刷される情報を変更することで様々な用途に使用することができる。以下、連結式冊子１０が、スケジュール管理に使用される冊子式の手帳である場合について図８〜図１０に基づいて具体的に説明する。図中の破線Ａ、Ｂは、第１の冊子１２と第２の冊子１４における左右のページの境界線を示す。
【００４１】
図８は、図１に示す連結式冊子１０で第１の冊子１２の前見返し１２ｄ、１２ｅ及び第２の冊子１４の後見返し１４ｆ、１４ｇをそれぞれ見開き状態にしたときの具体例を示す図である。ここでは、第１の冊子１２の前見返し１２ｄには北極側から見た正距方位図法の世界地図２４とタイムチャートが掲載されている。第１の冊子１２の前見返し１２ｅと第２の冊子１４の後見返し１４ｆには、メルカトル図法の世界地図２６が２ページに跨って掲載されている。第２の冊子１４の後見返し１４ｇには、上部に日本地図２８、下部にグード図法の世界地図３０が掲載されている。
【００４２】
このように、第１の冊子１２の前見返し１２ｄ、１２ｅ及び第２の冊子１４の後見返し１４ｆ、１４ｇを合わせた４ページの領域を活用することで、相互に関連する画像を纏めて掲載することができる。なお、地図の代わりに複数の路線の路線図等が掲載されてもよい。同様に、ページ間及び冊子間で連続するテキスト情報や、相互に関連する画像及びテキスト情報を組み合わせた情報を掲載してもよい。
【００４３】
図９は、図１に示す連結式冊子１０で第１の冊子１２の後見返し１２ｆ、１２ｇ及び第２の冊子１４の前見返し１４ｄ、１４ｅをそれぞれ見開き状態にしたときの具体例を示す図である。ここでは、第１の冊子１２の後見返し１２ｆ内に、年番号３２、月番号３４、月名３６が縦方向に配置され、日付欄３８が第１の冊子１２の後見返し１２ｆ、１２ｇ及び第２の冊子１４の前見返し１４ｄ、１４ｅの４ページに跨って横方向に配置されている。また、日付欄３８の最終日付の右側には、縦方向にメモ欄４０が設けられ、スケジュール表の各マス目には、ユーザがスケジュールを自由に記入するために余白が設けられている。
【００４４】
このように、第１の冊子１２の後見返し１２ｆ、１２ｇと第２の冊子１４の前見返し１４ｄ、１４ｅとを合わせた４ページ分の領域を活用することで、一連の画像として１６ヶ月分（２０１７年３月１日〜２０１８年６月３０日）のスケジュールを記入できる年間カレンダーを大きく掲載できる。なお、年間カレンダーの代わりに、縦方向にタスク等の自由記入欄、横方向に月名欄等を配置した一連のガントチャートを４ページで分割した状態で掲載してもよい。
【００４５】
図１０は、図１に示す連結式冊子１０で第１の冊子１２の本文ページ１２ｉ、１２ｊ及び第２の冊子１４の本文ページ１４ｉ、１４ｊをそれぞれ見開き状態にしたときの具体例を示す図である。ここでは、第１の冊子１２の本文ページ１２ｉ、１２ｊに月番号欄４２、日付欄４４、翌月分カレンダー４６を有する２０１７年３月分の月間スケジュールページが開かれている。一方、第２の冊子１４の本文ページ１４ｉ、１４ｊには、ページ左上部に週間インデックス欄４８をそれぞれ有する週間スケジュールページが開かれている。
【００４６】
このように、月単位及び週単位のスケジュールページを左右に並べた状態で同時に参照できるようにすることで、例えば第１の冊子１２側の月間スケジュールページで月全体の予定を確認しながら、第２の冊子１４側の週間スケジュールページに週単位の詳細なスケジュールを記入できる。なお、図８〜図１０に示した掲載情報や掲載先のページの位置はあくまで例示であり、任意に変更可能である。例えば、第１の冊子１２側に週間スケジュールページ、第２の冊子１４側に一日単位のスケジュールページを掲載してもよい。
【００４７】
また、本実施形態に係る連結式冊子１０の構成は、図８〜図１０に示すように、手帳に適用するだけでなく、同時に使用されることが想定されるものや記載情報が密接に関連している２冊の冊子等に適用すると効果的である。例えば、以下のような用途に適用すると効果的である。
１．テキストと問題・解答集
２．テキストとノート
３．外国語、漢文、古文等の原文とその翻訳文・解説
４．商品カタログと商品概要
５．設備や装置の点検マニュアルと点検実施帳簿
【００４８】
このように、本実施形態に係る連結式冊子１０によれば、第１の冊子１２及び第２の冊子１４が一枚の表紙部材１６によって被覆・連結されるため、両冊子を見開き状態にした場合には最大で４ページ分の内容を同時に把握することが可能となり、２冊の冊子間に跨った記入作業も効率的に行うことができる。
【００４９】
また、第１の冊子１２と第２の冊子１４との境界線Ｘに沿って連結式冊子１０を折り畳むことができるため、使用後は一冊分として管理でき、持ち運びも容易である。連結式冊子１０を折り畳んだときは磁石１８が被吸着部材２０に吸着することで冊子間が固定されるため、外力が加わったときに第１の冊子１２と第２の冊子１４とが離間しにくくなり、持ち運びが更に容易になる。
【００５０】
［変形例］
上記実施形態は、以下のような変形も可能である。
【００５１】
（変形例１）上記した実施形態では、第１の冊子１２の表表紙１２ａ、背表紙１２ｂ及び裏表紙１２ｃ、第２の冊子１４の表表紙１４ａ、背表紙１４ｂ及び裏表紙１４ｃを表紙部材１６によって一体的に被覆する構成としていたが、必ずしも全ての表紙を被覆しなくてもよい。すなわち、少なくとも第１の冊子１２及び第２の冊子１４の一方の裏表紙と他方の表表紙とを一体的に被覆して連結すればよい。例えば、第１の冊子１２の裏表紙１２ｃと第２の冊子１４の表表紙１４ａの間だけを連結してもよい。
【００５２】
（変形例２）上記した実施形態では、磁石１８及び被吸着部材２０が表紙部材１６によって被覆される構成としていたが、磁石１８及び被吸着部材２０を表紙部材１６の所定領域に上から接着してもよい。例えば、磁石１８は、第１の冊子１２の裏表紙１２ｃを被覆する表紙部材１６の第３の表紙部１６ｃ（第１領域）に接着し、他方、被吸着部材２０は、第２の冊子１４の表表紙１４ａを被覆する表紙部材１６の第４の表紙部１６ｄ（第２領域）に、境界線Ｘを対称軸として磁石１８と線対称になる位置で接着してもよい。また、磁石１８と被吸着部材２０の配置を逆にしてもよい。この場合、表紙部材１６によって第１の冊子１２及び第２の冊子１４を連結した後からでも、磁石１８及び被吸着部材２０を貼り付けることができる利点がある。
【００５３】
（変形例３）上記した実施形態では、第１の冊子１２及び第２の冊子１４は、縦幅、横幅及び高さが全て等しい冊子としていたが、同サイズの冊子だけに限定されない。例えば、縦幅及び横幅については等しく、厚みが異なる冊子としてもよい。例えば、一方の冊子が問題集、他方の冊子が問題集よりも情報量の多い解答・解説集の場合のように、厚みが大きく異なる２冊の冊子からも連結式冊子を形成することができる。
【００５４】
（変形例４）上記した実施形態では、表紙部材１６は被覆部材であるとともに、連結部材であったが、別途の連結部材を設けてもよい。例えば、板状の連結部材によって第１の冊子１２の裏表紙１２ｃの一辺とこの辺に対接する第２の冊子１４の表表紙１４ａの一辺とを跨ぐように限定的に連結し、その上から表紙部材１６で覆ってもよい。この場合、第１の冊子１２と第２の冊子１４との連結の強度をより高めることができる。
【００５５】
（変形例５）上記変形例１〜４を矛盾しない範囲で任意に組み合わせてもよい。
【００５６】
なお、本発明に係る連結式冊子は、上述の実施形態に限らず、本発明の要旨を逸脱することなく、種々の構成を採り得ることはもちろんである。
【符号の説明】
【００５７】
１０…連結式冊子                        １２…第１の冊子
１２ａ、１４ａ…表表紙                  １２ｂ、１４ｂ…背表紙
１２ｃ、１４ｃ…裏表紙                  １２ｄ、１２ｅ、１４ｄ、１４ｅ…前見返し
１２ｆ、１２ｇ、１４ｆ、１４ｇ…後見返し
１２ｈ、１４ｈ…前小口
１２ｉ、１２ｊ、１４ｉ、１４ｊ、…本文ページ
１４…第２の冊子                        １６…表紙部材
１６ａ…第１の表紙部                    １６ｂ…第２の表紙部
１６ｃ…第３の表紙部                    １６ｄ…第４の表紙部
１６ｅ…第５の表紙部                    １６ｆ…第６の表紙部
１８…磁石                              ２０…被吸着部材
２２ａ、２２ｂ、２２ｃ…接着剤層
【図１】
2018094761.tif 000003
【図２】
2018094761.tif 000004
【図３】
2018094761.tif 000005
【図４】
2018094761.tif 000006
【図５】
2018094761.tif 000007
【図６】
2018094761.tif 000008
【図７】
2018094761.tif 000009
【図８】
2018094761.tif 000010
【図９】
2018094761.tif 000011
【図１０】
2018094761.tif 000012